(57)【要約】【課題】回路規模や回路コストを増大させることなく回生電流の発生を防止する。【解決手段】交流を直流に整流して出力する整流装置において、入力された交流電圧を昇圧するための昇圧コイル１２と、昇圧コイル１２に流れる電流をスイッチングするスイッチング回路（トランジスタ１３，１４）と、スイッチング回路を駆動する駆動信号のデューティー比を変化させることにより、昇圧コイル１２の出力電圧を調整する調整回路（検出回路２２、減算回路２３、補償回路２４、補償回路２６、ＰＷＭ回路２７）と、直流側から交流側へ流れる電流である回生電流が発生しないように、調整回路を制御する制御回路（リミット回路２５）と、を有する。【選択図】　　　　図１
2004147473.tif 000002
【特許請求の範囲】
【請求項１】
交流を直流に整流して出力する整流装置において、
入力された交流電圧を昇圧するための昇圧コイルと、
上記昇圧コイルに流れる電流をスイッチングするスイッチング回路と、
上記スイッチング回路を駆動する駆動信号のデューティー比を変化させることにより、上記昇圧コイルの出力電圧を調整する調整回路と、
直流側から交流側へ流れる電流である回生電流が発生しないように、上記調整回路を制御する制御回路と、
を有することを特徴とする整流装置。
【請求項２】
前記制御回路は、前記交流の１周期において、前記直流側から前記交流側へ流出する電荷の総和が、前記交流側から前記直流側へ流入する電荷の総和を上回らないように前記調整回路を制御することを特徴とする請求項１記載の整流装置。
【請求項３】
前記調整回路は、前記直流の電圧と、目標電圧とを比較し、比較結果に基づいて前記デューティー比を変更することにより前記昇圧コイルに流れる電流を増減させて前記出力電圧を調整し、
前記制御回路は、上記目標電圧よりも前記直流の電圧の方が高い場合には、前記昇圧コイルに流れる電流の平均値が、これらの電圧の差によらず常に一定になるように制御することを特徴とする請求項１または２のいずれかに記載の整流装置。
【請求項４】
前記調整回路は、前記目標電圧から前記直流の電圧を減算した値に基づいて前記デューティー比を変更し、
前記制御回路は、前記目標電圧から前記直流の電圧を減算した値が負の値になった場合には、前記調整回路に所定の値を常に供給することを特徴とする請求項３記載の整流装置。
【請求項５】
入力された交流電圧を昇圧するための昇圧コイルと、上記昇圧コイルに流れる電流をスイッチングするスイッチング回路と、上記スイッチング回路を駆動する駆動信号のデューティー比を変化させることにより、上記昇圧コイルの出力電圧を調整する調整回路と、を有し、交流を直流に整流して出力する整流方法において、
直流側から交流側へ流れる電流である回生電流が発生しないように、上記調整回路を制御することを特徴とする整流方法。
【発明の詳細な説明】
【０００１】
【発明の属する技術分野】
本発明は、整流装置および整流方法に関する。
【０００２】
【従来の技術】
交流を直流に変換する整流装置は、様々な分野で広く使用されている。例えば、交流電源と負荷機器との間に接続される無停電電源装置では、交流電源である商用電源から供給された電力を整流した後、再度、交流電力に変換し、負荷機器に供給するため（特許文献１参照）、整流装置が必要になる。
【０００３】
このような整流装置の性能は、装置全体の性能に大きな影響を与えるため、整流装置に関する種々の提案が従来からなされている。
【０００４】
図７は、従来の整流装置の一例を示す回路図である。
【０００５】
従来の整流装置は、昇圧コイル１０１、トランジスタ１０２，１０３、ダイオード１０４〜１０９、コンデンサ１１０、出力端子１１１，１１２およびＰＷＭ（Ｐｕｌｓｅ　Ｗｉｄｔｈ　Ｍｏｄｕｌａｔｉｏｎ）回路１１３によって構成されており、昇圧コイル１０１の一端と、ダイオード１０６のアノード端子（ダイオード１０７のカソード端子）には商用交流電源１００が接続されている。
【０００６】
ここで、昇圧コイル１０１は、自己誘導によって商用交流電源１００の電圧を昇圧して出力する。
【０００７】
トランジスタ１０２，１０３は、ＰＷＭ回路１１３から供給される駆動信号（パルス信号）に応じて交互にオンまたはオフの状態になり、商用交流電源１００の電圧を昇圧してコンデンサ１１０を充電する。
【０００８】
ダイオード１０４，１０５は、トランジスタ１０２，１０３とそれぞれ並列に接続されており、昇圧コイル１０１によって昇圧された電圧が印加された場合には導通状態となり、コンデンサ１１０を充電する。
【０００９】
ダイオード１０６，１０７は、整流用のダイオードである。また、ダイオード１０８，１０９は、回生電流を遮断するためのダイオードである。すなわち、ダイオード１０８，１０９は、コンデンサ１１０に蓄積されている電荷が、商用交流電源１００側に出力されることを防止する。
【００１０】
コンデンサ１１０は、例えば、電解コンデンサによって構成されており、ダイオード１０４〜１０７によって整流された電力を電荷として蓄積する。
【００１１】
端子１１１，１１２は、直流電力を取り出すための端子である。ＰＷＭ回路１１３は、例えば、端子１１１，１１２に現れる出力電圧と、商用交流電源１００から流入する電流を参照して、トランジスタ１０２，１０３を制御する。
【００１２】
つぎに、以上の従来例の動作を説明する。
【００１３】
商用交流電源１００の昇圧コイル１０１側の電圧が正である場合に、ＰＷＭ回路１１３から供給される駆動信号によって、トランジスタ１０２がオフの状態に、また、トランジスタ１０３がオンの状態になると、商用交流電源１００の上側の端子から流入した電流は、昇圧コイル１０１、トランジスタ１０３、およびダイオード１０７を経由して商用交流電源１００の下側の端子に流出する。その結果、昇圧コイル１０１には、図の左から右方向へ電流が流れるので、この電流に対応する磁気エネルギーが昇圧コイル１０１に蓄積される。
【００１４】
つぎに、ＰＷＭ回路１１３は、トランジスタ１０２をオンの状態に、また、トランジスタ１０３をオフの状態にする。トランジスタ１０３がオフの状態になると、昇圧コイル１０１に流れていた電流が急に遮断されるので、昇圧コイル１０１には自己誘導によって高い電圧が発生する。このとき、コンデンサ１１０の電圧が、商用交流電源１００の電圧と昇圧コイル１０１の電圧の合計よりも低い場合には、ダイオード１０４，１０８，１０９，１０７を経由して電流が通じ、コンデンサ１１０が充電される。
【００１５】
一方、商用交流電源１００の昇圧コイル１０１側の電圧が負である場合に、ＰＷＭ回路１１３がトランジスタ１０２をオンの状態に、また、トランジスタ１０３をオフの状態にすると、昇圧コイル１０１には、図の右から左方向へ電流が流れる。つぎに、ＰＷＭ回路１１３は、トランジスタ１０２をオフの状態に、また、トランジスタ１０３をオンの状態にする。トランジスタ１０２がオフ状態になると、昇圧コイル１０１に流れていた電流が急に遮断されるので、前述の場合と同様に自己誘導によって高い電圧が発生する。このとき、コンデンサ１１０の電圧が、商用交流電源１００の電圧と昇圧コイル１０１の電圧の合計よりも低い場合には、ダイオード１０６，１０８，１０９，１０５を経由して電流が通じ、コンデンサ１１０が充電される。
【００１６】
【特許文献１】
特開平７−１１５７７３号公報（要約書）
【００１７】
【発明が解決しようとする課題】
ところで、以上の従来例では、コンデンサ１１０に蓄積されている電荷が、トランジスタ１０２を介して商用交流電源１００側に流出し、回生電流となることを防止するためにダイオード１０８，１０９を設けている。
【００１８】
しかし、ダイオード１０８，１０９は順バイアス時において一定の電圧降下を生じ、また、これらのダイオードに流れる電流は、出力端子１１１，１１２に流れる電流と略同一である。したがって、これらのダイオードにおいて一定の電力が消費されてしまうという問題点がある。
【００１９】
また、ダイオード１０８，１０９を付加する必要があるので、その分だけコストが高くつくという問題がある。さらに、これらのダイオードが実装される分だけ回路規模が大きくなるという問題点もある。
【００２０】
本発明は、上記の事情に基づきなされたもので、その目的とするところは、回路規模や回路コストを増大することなく回生電流を確実に防止する整流装置および整流方法を提供しよう、とするものである。
【００２１】
【課題を解決するための手段】
上述の目的を達成するため、本発明は、交流を直流に整流して出力する整流装置において、入力された交流電圧を昇圧するための昇圧コイルと、昇圧コイルに流れる電流をスイッチングするスイッチング回路と、スイッチング回路を駆動する駆動信号のデューティー比を変化させることにより、昇圧コイルの出力電圧を調整する調整回路と、直流側から交流側へ流れる電流である回生電流が発生しないように、調整回路を制御する制御回路と、を有している。
【００２２】
このため、回路規模や回路コストを増大することなく回生電流を確実に防止することができる。
【００２３】
また、他の発明は、上述の発明に加えて、制御回路は、交流の１周期において、直流側から交流側へ流出する電荷の総和が、交流側から直流側へ流入する電荷の総和を上回らないように調整回路を制御するようにしている。
【００２４】
このため、一時的に回生電流が生じたとしても、交流の１周期についてみると、当該回生電流を相殺することが可能になる。
【００２５】
また、他の発明は、上述の各発明に加えて、調整回路は、直流の電圧と、目標電圧とを比較し、比較結果に基づいてデューティー比を変更することにより昇圧コイルに流れる電流を増減させて出力電圧を調整し、制御回路は、目標電圧よりも直流の電圧の方が高い場合には、昇圧コイルに流れる電流の平均値が、これらの電圧の差によらず常に一定になるように制御するようにしている。
【００２６】
このため、直流の電圧と、目標電圧とを比較することにより、回生電流が発生し得る状態であることを簡単に検知することが可能になる。
【００２７】
また、他の発明は、上述の発明に加えて、調整回路は、目標電圧から直流の電圧を減算した値に基づいてデューティー比を変更し、制御回路は、目標電圧から直流の電圧を減算した値が負の値になった場合には、調整回路に所定の値を常に供給するようにしている。
【００２８】
このため、制御回路として、例えば、リミッタを利用することができるので、簡単な回路構成により、回生電流の発生を確実に防止することができる。
【００２９】
また、本発明は、入力された交流電圧を昇圧するための昇圧コイルと、昇圧コイルに流れる電流をスイッチングするスイッチング回路と、スイッチング回路を駆動する駆動信号のデューティー比を変化させることにより、昇圧コイルの出力電圧を調整する調整回路と、を有し、交流を直流に整流して出力する整流方法において、直流側から交流側へ流れる電流である回生電流が発生しないように、調整回路を制御するようにしている。
【００３０】
このため、回路規模や回路コストを増大することなく回生電流を確実に防止することができる。
【００３１】
【発明の実施の形態】
以下、本発明の一実施の形態について、図面を参照して説明する。
【００３２】
図１は、本発明の実施の形態に係る整流装置の構成を示す回路図である。
【００３３】
この図に示すように、整流装置は、カレントトランス１１、昇圧コイル１２、トランジスタ１３，１４、ダイオード１５，１６、コンデンサ１７，１８、出力回路１９、出力端子２０，２１、検出回路２２、減算回路２３、補償回路２４、リミット回路２５、補償回路２６、およびＰＷＭ回路２７によって構成されおり、昇圧コイル１２の一端と、コンデンサ１７のマイナス端子（コンデンサ１８のプラス端子）には商用交流電源１０が接続されている。なお、出力回路１９は、直流電源として使用する場合には、除外することができる。
【００３４】
ここで、商用交流電源１０は、正弦波電力を出力する交流電源である。カレントトランス１１は、電流を検出するためのトランスであり、具体的には、商用交流電源１０から流入する電流に応じた電圧を出力する。請求項中における「昇圧コイル」に相当する昇圧コイル１２は、自己誘導によって高い電圧を発生して出力する。
【００３５】
「スイッチング回路」に相当するトランジスタ１３，１４は、例えば、ＩＧＢＴ（Ｉｎｓｕｌａｔｅｄ　Ｇａｔｅ　Ｂｉｐｏｌａｒ　Ｔｒａｎｓｉｓｔｏｒ）によって構成されており、ＰＷＭ回路２７から供給される駆動信号Φ１，Φ２によってそれぞれオンまたはオフの状態にされる。
【００３６】
ダイオード１５，１６は、昇圧コイル１２に発生した高電圧をバイパスさせる役割を有している。コンデンサ１７，１８は、例えば、電解コンデンサによって構成されている。ここで、コンデンサ１７は正の電圧を蓄える正電圧コンデンサであり、コンデンサ１８は負の電圧を蓄える負電圧コンデンサである。
【００３７】
出力回路１９は、コンデンサ１７，１８に蓄えられている電荷をスイッチングすることにより、交流電圧に変換して出力する。端子２０，２１は、出力回路１９によって変換された交流電圧を取り出すための端子である。
【００３８】
「調整回路」の一部である検出回路２２は、コンデンサ１７，１８の端子電圧を検出し、検出結果を減算回路２２に出力する。
【００３９】
「調整回路」の一部である減算回路２３は、制御目標となる基準電圧Ｖｒｅｆから検出回路２２の出力を減算した結果を出力する。
【００４０】
「調整回路」の一部である補償回路２４は、減算回路２３の出力に対して所定の演算を施し、指令値Ｉｒｅｆを生成して出力する。
【００４１】
「制御回路」に相当するリミット回路２５は、図２に示すように、入力信号（補償回路２４の出力信号（＝指令値Ｉｒｅｆ））レベルが正である場合には、入力信号レベルに略比例した信号を出力し、入力信号レベルが負である場合には、レベルが“０”の信号を出力する。なお、レベルが“０”の信号を出力するのではなく、所定のレベルの正の電圧または所定のレベルの負の電圧を出力するようにしてもよい。
【００４２】
「調整回路」の一部である補償回路２６は、リミット回路２５およびカレントトランス１１から与えられる信号に基づいてＰＷＭ回路２７によって出力される駆動信号Φ１，Φ２のデューティー比を決定する。
【００４３】
「調整回路」の一部であるＰＷＭ回路２７は、補償回路２６からの出力信号に応じた駆動信号Φ１，Φ２を生成し、トランジスタ１３，１４にそれぞれ供給する。具体的には、ＰＷＭ回路２７から出力される駆動信号Φ１，Φ２は、図３に示すような矩形波信号である。図３（Ａ）は、駆動信号Φ１，Φ２のデューティー比（“Ｈ”の時間／“Ｌ”の時間）が等しい場合を示し、図３（Ｂ）は駆動信号Φ１のデューティー比の方が大きい場合を示し、図３（Ｃ）は駆動信号Φ２のデューティー比の方が大きい場合を示している。すなわち、駆動信号Φ１，Φ２は、それぞれの信号が“Ｈ”である時間の合計が常に一定になる関係（相補的な関係）を有している。
【００４４】
つぎに、整流装置の動作を説明する。
【００４５】
図４は、商用交流電源１０の電圧Ｖｉの波形と、駆動信号Φ１，Φ２の関係の概略を示す図である。この図に示すように、商用交流電源１０の電圧Ｖｉは、正弦波交流である。また、駆動信号Φ１，Φ２は、前述したように、一方が“Ｈ”の状態である場合には他方が“Ｌ”の状態であり、一方が“Ｈ”の状態である場合には他方が“Ｌ”の状態となる関係を有する信号である。また、駆動信号Φ１は、商用交流電源１０の電圧Ｖｉが負である場合（期間Ｔ２）にデューティー比が大きくなり、正である場合（期間Ｔ１）には小さくなる。一方、駆動信号Φ２は商用交流電源１０の電圧Ｖｉが正である場合（期間Ｔ１）にデューティー比が大きくなり、負である場合（期間Ｔ２）には小さくなる。なお、このように、電圧Ｖｉに応じてデューティー比を変化させるのは、整流装置に流入する電流が、電圧波形と同位相の正弦波となるようにすることで、力率を改善するためである。以下では、商用交流電源１０の電圧が正である場合（期間Ｔ１）と、負である場合（期間Ｔ２）に分けて詳細な動作を説明する。
【００４６】
まず、商用交流電源１０の昇圧コイル１２側の電圧が正である場合（期間Ｔ１）の動作について説明する。ＰＷＭ回路２７から出力される駆動信号Φ１，Φ２がそれぞれ“Ｌ”，“Ｈ”の状態になると、トランジスタ１３，１４は、それぞれオフ、オンの状態になり、商用交流電源１０から昇圧コイル１２に電流が流入する。その結果、昇圧コイル１２には図１の左から右方向への電流が流れ、この電流に応じた磁気エネルギーが昇圧コイル１２に蓄積される。
【００４７】
このような状態において、駆動信号Φ１，Φ２がそれぞれ“Ｈ”，“Ｌ”の状態になると、トランジスタ１３，１４がそれぞれオン、オフの状態となり、昇圧コイル１２に流れる電流が急に遮断されるので、昇圧コイル１２には、自己誘導により高い電圧が発生する。昇圧コイル１２と商用交流電源１０の電圧の和が、コンデンサ１７の端子電圧よりも高い場合には、ダイオード１５を介してコンデンサ１７が充電される。そして、一定の時間が経過すると、駆動信号Φ１，Φ２がそれぞれ“Ｌ”，“Ｈ”の状態になって、最初の状態に戻り、同様の動作が繰り返される。
【００４８】
つぎに、商用交流電源１０の昇圧コイル１２側の電圧が負である場合（期間Ｔ２）の動作について説明する。ＰＷＭ回路２７から出力される駆動信号Φ１，Φ２がそれぞれ“Ｈ”，“Ｌ”の状態になると、トランジスタ１３，１４がそれぞれオン、オフの状態になり、昇圧コイル１２にはトランジスタ１３から電流が流入する。その結果、昇圧コイル１２には図１の右から左方向への電流が流れ、この電流に応じた磁気エネルギーが昇圧コイル１２に蓄積される。
【００４９】
このような状態において、駆動信号Φ１，Φ２がそれぞれ“Ｌ”，“Ｈ”の状態になると、トランジスタ１３，１４がそれぞれオフ、オンの状態になる。このため、昇圧コイル１２に流れる電流が急に遮断されるので、昇圧コイル１２には、自己誘導により高い電圧が発生する。昇圧コイル１２と商用交流電源１０の電圧和が、コンデンサ１８の端子電圧よりも高い場合には、ダイオード１６を介してコンデンサ１８が充電される。そして、一定の時間が経過すると、駆動信号Φ１，Φ２がそれぞれ“Ｈ”，“Ｌ”の状態になって、最初の状態に戻り、同様の動作が繰り返される。
【００５０】
ところで、出力回路１９の出力端子２０，２１に接続される図示せぬ負荷の変動または商用交流電源１０の電圧の変動により、コンデンサ１７，１８の端子電圧が変動した場合には、これを抑えるような制御がなされる。
【００５１】
例えば、コンデンサ１７，１８の両端の電圧が減少した場合には、減算回路２３は、基準電圧Ｖｒｅｆから、検出回路２２によって検出されたコンデンサ１７，１８の端子電圧を減算して出力する。補償回路２４は、減算回路２３からの出力信号に所定の処理を施し、指令値Ｉｒｅｆを生成して出力する。具体的には、目標電圧＞端子電圧であるので、指令値Ｉｒｅｆとして正の電圧がリミット回路２５に供給される。
【００５２】
リミット回路２５は、図２に示すように、正の入力電圧についてはリミット動作を行わず、入力信号に略比例する信号を出力するので、指令値Ｉｒｅｆの電圧に応じた正の電圧が出力される。
【００５３】
補償回路２６は、リミット回路２５からの出力と、カレントトランス１１からの出力に基づいて、ＰＷＭ回路２７の出力信号である駆動信号Φ１，Φ２のデューティー比を制御する。例えば、リミット回路２５からの出力により、コンデンサ１７，１８の端子電圧が減少したと判定された場合には、駆動信号Φ１，Φ２の充電側の半周期におけるデューティー比が大きくなるように（駆動信号Φ１については、期間Ｔ２においてデューティー比が大きくなるように、駆動信号Φ２については、期間Ｔ１においてデューティー比が大きくなるように）制御することで、コンデンサ１７，１８への充電電流を増大させて端子電圧を増加させる。なお、このとき、補償回路２６は、カレントトランス１１の出力と、電流の制御目標値の偏差を求め、この偏差に応じてＰＷＭ回路２７を制御する。より詳細には、コンデンサ１７に注目すると、コンデンサ１７は、期間Ｔ１では充電され、期間Ｔ２では放電される。したがって、充電側の半周期である期間Ｔ１における駆動信号Φ２のデューティー比が大きくなると、放電量よりも充電量が上回るため、端子電圧が増加する。コンデンサ１８の場合は、充電側の半周期である期間Ｔ２における駆動信号Φ１のデューティー比が大きくなると、放電量よりも充電量が上回るため、端子電圧が増加する。
【００５４】
ところで、負荷の変動または商用交流電源１０の変動により、コンデンサ１７，１８の端子電圧が、目標電圧であるＶｒｅｆよりも高くなってしまった場合には、これを減少させる方向に制御がなされる。すなわち、コンデンサ１７の充電側の半周期である期間Ｔ１において駆動信号Φ２のデューティー比を減少させ、コンデンサ１８の充電側の半周期である期間Ｔ２において駆動信号Φ１のデューティー比を減少させるような制御がなされる。しかし、このような制御の結果、充電側の半周期において充電される電荷よりも、放電側の半周期（コンデンサ１７については期間Ｔ２、コンデンサ１８については期間Ｔ１）で放電される電荷が上回ってしまうため、これが回生電流となってしまう。
【００５５】
しかしながら、この整流装置では、リミット回路２５の働きにより、このような回生電流の発生を防止できる。以下に、その詳細を説明する。
【００５６】
すなわち、コンデンサ１７，１８の端子電圧が、目標電圧よりも高くなった場合には、減算回路２３からの出力は負となり、その結果、補償回路２４の出力Ｉｒｅｆも負となる。リミット回路２５は、図２に示すような特性を有していることから、負のレベルの入力信号に対しては“０”を出力する。
【００５７】
補償回路２６は、リミット回路２５からの出力が“０”である場合には、充電側の半周期において商用交流電源１０から装置に流入する電荷の総和と、放電側の半周期において商用交流電源１０に流出する電荷の総和が等しくなるように駆動信号Φ１，Φ２のデューティー比を制御する。例えば、コンデンサ１７に注目すると、充電側の半周期である期間Ｔ１において流入する電荷の総量と、放電側の半周期である期間Ｔ２において流出する電荷の総量が等しくなるように制御されるので、流入する電荷よりも流出する電荷の方が大きくなることによって発生する回生電流を防止できる。また、コンデンサ１８に注目した場合も同様で、充電側の半周期である期間Ｔ２において流入する電荷の総量と、放電側の半周期である期間Ｔ１において流出する電荷の総量が等しくなるように制御されるので、流入する電荷よりも流出する電荷の方が大きくなることによって発生する回生電流を防止できる。
【００５８】
したがって、補償回路２４からの出力Ｉｒｅｆが負の値となった場合であっても、リミット回路２５はその値の大小に拘わらず、補償回路２６に対して常に“０”を出力するので、回生電流の発生を防止できる。なお、コンデンサ１７，１８に蓄積された余剰な電荷は、出力回路１９を介して図示せぬ負荷に対して徐々に放出されることになるので、コンデンサ１７，１８の端子電圧は、徐々に目標電圧に収束する。
【００５９】
以上に示したように、この整流装置によれば、リミット回路２５によって、補償回路２４から出力される指令値Ｉｒｅｆの負の値を制限することにより、回生電流の発生を防止することが可能になる。また、図７に示す回生電流を防止するためのダイオード１０８，１０９が不要になるので、無駄な電力の消費を防止することが可能になる。
【００６０】
なお、以上の実施の形態では、検出回路２２、減算回路２３、補償回路２４、リミッタ回路２５、補償回路２６、およびＰＷＭ回路２７をハードウエア的に構成したが、これらまたはこれらの一部をソフトウエア的に構成することも可能である。
【００６１】
図５は、検出回路２２、減算回路２３、補償回路２４、リミット回路２５、補償回路２６、およびＰＷＭ回路２７をソフトウエア的に構成する例を示す図である。この図において、制御回路５０は、例えば、ＤＳＰ（Ｄｉｇｉｔａｌ　Ｓｉｇｎａｌ　Ｐｒｏｃｅｓｓｏｒ）またはＣＰＵ（Ｃｅｎｔｒａｌ　Ｐｒｏｃｅｓｓｉｎｇ　Ｕｎｉｔ）等によって構成されており、メモリ等に記録されているプログラムに応じて検出回路２２、減算回路２３、補償回路２４、リミット回路２５、補償回路２６、およびＰＷＭ回路２７の機能を実現する。
【００６２】
図６は、制御回路５０が回生電流の発生を防止するために実行する処理の一例を説明するフローチャートである。この処理がスタートされると、以下のステップが実行される。
【００６３】
制御回路５０は、ソフトウエア的に実現された検出回路の出力が正であるか否か判定する（ステップＳ１０）。その結果、検出回路の出力が正である場合にはステップＳ１１に進んで通常処理を実行し、それ以外の場合にはステップＳ１２に進む。
【００６４】
ステップＳ１０において否定的な場合、制御回路５０は、指令値（ソフトウエア的に実現された補償回路２６への出力値）を“０”に設定する（ステップＳ１２）。つぎに、制御回路５０は、動作を停止するか否かを判定し（ステップＳ１３）、停止する場合には処理を終了し、それ以外の場合にはステップＳ１０に戻って同様の処理を繰り返す。
【００６５】
以上の処理により、図１に示す動作をソフトウエア的に実現することが可能になる。このため、前述の場合と同様に回生電流の発生を防止することが可能になる。また、図７に示す回生電流を防止するためのダイオード１０８，１０９が不要になるので、無駄な電力の消費を防止することが可能になる。さらに、リミット回路２５に対応するプログラムを追加するだけでよいので、回路規模を増大することなく、回生電流の発生を確実に抑制することができる。
【００６６】
以上、本発明の一実施の形態について説明したが、本発明はこれ以外にも種々変形可能である。
【００６７】
例えば、コンデンサ１７，１８としては、電解コンデンサを用いるようにしたが、これ以外のコンデンサ（例えば、フィルムコンデンサ）等を用いることも可能である。
【００６８】
また、トランジスタ１３，１４としては、ＩＧＢＴを用いるようにしたが、これ以外の素子（例えば、ＭＯＳ−ＦＥＴ（Ｍｅｔａｌ　Ｏｘｉｄｅ　Ｓｅｍｉｃｏｎｄｕｃｔｏｒ−Ｆｉｅｌｄ　Ｅｆｆｅｃｔ　Ｔｒａｎｓｉｓｔｏｒ）等）を用いることも可能である。
【００６９】
さらに、リミット回路２５の特性として、入力信号のレベルが負である場合には、信号レベルの大小に拘わらず常にレベルが“０”の信号を出力するようにしたが、信号レベルの大小に拘わらず常に一定レベルの信号を出力するようにしてもよい。この場合、出力信号が負の一定値になるように設定すると、回生電流が発生してしまうが、電流は常に一定であるため、入力信号レベルによって回生電流が増大することはない。また、出力信号が正の一定値になるように設定すると、降圧動作の代わりに昇圧動作が実行されるが、回生電流の発生を確実に防止できる。
【００７０】
【発明の効果】
本発明によれば、回路規模や回路コストを増大することなく回生電流を確実に防止することが可能になる。
【図面の簡単な説明】
【図１】本発明の実施の形態に係る整流装置の構成を示す回路図である。
【図２】図１に示す整流装置のリミッタ回路の入出力特性の一例を示す図である。
【図３】図１に示す整流装置のＰＷＭ回路から出力される駆動信号Φ１，Φ２の各波形の一例を示す図である。
【図４】図１に示す整流装置に入力される商用交流電源の電圧波形と、駆動信号Φ１，Φ２の概要を示す図である。
【図５】本発明の実施の形態に係る整流装置の他の構成例を示す図である。
【図６】図５に示す整流装置の動作を説明するためのフローチャートである。
【図７】従来の整流装置の構成例を示す図である。
【符号の説明】
１２　昇圧コイル（昇圧コイル）
１３，１４　トランジスタ（スイッチング回路）
２２　検出回路（調整回路の一部）
２３　減算回路（調整回路の一部）
２４　補償回路（調整回路の一部）
２５　リミット回路（制御回路）
２６　補償回路（調整回路の一部）
２７　ＰＷＭ回路（調整回路の一部）
【図１】
2004147473.tif 000003
【図２】
2004147473.tif 000004
【図３】
2004147473.tif 000005
【図４】
2004147473.tif 000006
【図５】
2004147473.tif 000007
【図６】
2004147473.tif 000008
【図７】
2004147473.tif 000009